(57)【要約】【課題】ガイドワイヤの組付作業が容易なブラインド用ガイド装置を提供する。【解決手段】ガイドワイヤ３２は、一端３２ａがばね６２を介してフレーム１８に固定され、他端３２ｂがフレーム１８に螺合されるネジ５０に巻付けられてネジ５０に締め付けられることによりフレーム１８外方向に引っ張られることにより、緊張状態に保持される。【選択図】図１
2014037697.tif 000002
【特許請求の範囲】
【請求項１】
四方枠を形成するフレーム（１８）内に、ラダーテープ（２６）によって整列状態に支持される多数のスラット（２８）を有するブラインド（２０）を設け、多数のスラットの少なくとも一方の端部に形成した挿通孔（２８ａ）にガイドワイヤ（３２）が挿通することによりスラットの横方向の移動を規制したブラインド用ガイド装置において、
ガイドワイヤは、一端（３２ａ）がばね（６２）を介してフレーム（１８）に固定され、他端（３２ｂ）がフレーム（１８）に螺合されるネジ（５０）に締め付けられてフレーム（１８）外方向に引っ張られて、緊張状態に保持されることを特徴とするブラインド用ガイド装置。
【請求項２】
前記ネジ（５０）は、直交配置される２つのフレーム要素（１８ｂ、１８ｃ）を連結するためのネジであり、ガイドワイヤ（３２）の他端（３２ｂ）は、該ネジに巻付けられることを特徴とする請求項１記載のブラインド用ガイド装置。
【請求項３】
前記ネジ（５０）は、直交配置される２つのフレーム要素（１８ｂ、１８ｃ）を連結するためのネジであり、ガイドワイヤ（３２）の他端（３２ｂ）は、該ネジが挿通する孔（１８ｄ）に挿通されることを特徴とする請求項１記載のブラインド用ガイド装置。
【発明の詳細な説明】
【技術分野】
【０００１】
本発明は、四方枠を形成するフレーム内に設けられるブラインドにおいて、スラットの横方向の移動を規制するブラインド用ガイド装置に関する。
【背景技術】
【０００２】
このようなブラインド用ガイド装置としては、特許文献１に示されるものが知られている。これに示されるものは、隙間を開けて対向する２枚のガラスの周縁に矩形四辺状の枠体を組み付けて形成した隙間空間に、上下に間隔を開けた多数のスラットをラダーコードにより吊持する遮光状態調整用の回転軸を有するブラインドを設け、多数のスラットの長尺方向片側端部ないしその近傍を上下方向に遊嵌貫通する線状の転倒防止用ワイヤを設けている。ワイヤはスラットの転倒防止作用と長尺方向についての位置決め作用を与えるものであり、ワイヤの上端は、枠体の上部角部に設けられる上部スペーサに形成されたワイヤ挿通孔及び圧縮コイルばねを通り圧縮コイルばねの先端に係合するリベットに連結固着されて上部スペーサに固定されている。また、ワイヤの下端は、枠体の下部角部に設けられる下部スペーサに形成されたワイヤ挿通孔及び圧縮コイルばねを通り圧縮コイルばねの先端に係合するリベットに連結固着されて下部スペーサに固定されている。
【０００３】
このように、ワイヤの上下端部は、それぞれ圧縮コイルばねの先端に係合するリベットに連結固着されて支持される構成であるため、ワイヤの長さ及び圧縮コイルばねの自然状態時の長さを、ガラス組立時の枠体の上下寸法に対応して設計しておくことで、圧縮コイルばねの適度な圧縮を与えた状態でワイヤを緊張状態で調節することができる。
【先行技術文献】
【特許文献】
【０００４】
【特許文献１】特開平８−８６１６８号公報
【発明の概要】
【発明が解決しようとする課題】
【０００５】
しかしながら、ワイヤの上下両端に圧縮コイルばねを配置し、ワイヤの長さを考慮しながらワイヤ端部をリベットにてカシメる作業は容易ではなく、作業が非効率といえる。特に、ワイヤの端部をリベットにてカシメる作業は、枠体内で行わなければならないが、枠体内の寸法が小さい場合、作業空間が狭く作業が容易でないという問題がある。
【０００６】
本発明はかかる課題に鑑みなされたもので、ガイドワイヤの組付作業が容易なブラインド用ガイド装置を提供することをその目的とする。
【課題を解決するための手段】
【０００７】
前述した目的を達成するために、請求項１記載の発明は、四方枠を形成するフレーム内に、ラダーテープによって整列状態に支持される多数のスラットを有するブラインドを設け、多数のスラットの少なくとも一方の端部に形成した挿通孔にガイドワイヤが挿通することによりスラットの横方向の移動を規制したブラインド用ガイド装置において、
ガイドワイヤは、一端がばねを介してフレームに固定され、他端がフレームに螺合されるネジに締め付けられてフレーム外方向に引っ張られて、緊張状態に保持されることを特徴とする。
【０００８】
請求項２記載の発明は、請求項１記載の発明において、前記ネジは、直交配置される２つのフレーム要素を連結するためのネジであり、ガイドワイヤの他端は、該ネジに巻付けられることを特徴とする。
【０００９】
請求項３記載の発明は、請求項１記載の発明において、前記ネジは、直交配置される２つのフレーム要素を連結するためのネジであり、ガイドワイヤの他端は、該ネジが挿通する孔に挿通されることを特徴とする。
【発明の効果】
【００１０】
本発明によれば、ネジの締め付けによってガイドワイヤがフレーム外方向に引っ張られるために、ガイドワイヤを弛みなく容易に固定することができる。フレームに螺合するネジを用いて、ガイドワイヤの他端の固定を行うために、ガイドワイヤの組付作業をフレームの外側から行うことができて、作業が容易である。
【００１１】
また、直交配置される２つのフレーム要素を連結するためのネジを用いて、ガイドワイヤの他端を該ネジに巻付けるか、またはネジが挿通する孔に挿通することで、フレーム要素の組立作業に伴ってガイドワイヤの端部を固定することができ、作業の効率がよく、また、フレーム要素の組立部品を共用することができるため、コスト削減にもなる。
【図面の簡単な説明】
【００１２】
【図１】本発明のブラインド用ガイド装置の適用される横型ブラインドの正面図である。
【図２】本発明の実施形態に係るブラインド用ガイド装置のガイドワイヤの一方の上端部付近の斜視図である。
【図３】本発明の実施形態に係るブラインド用ガイド装置のガイドワイヤの一方の下端部付近の斜視図であり、（ａ）は組付前の状態を、（ｂ）は組付後の状態を、それぞれ示す。
【図４】図３のガイドワイヤの一方の下端部付近の断面図である。
【図５】図３のガイドワイヤを取付けるネジの頭部を切断した、ガイドワイヤの一方の下端部付近の底面図である。
【図６】図３のガイドワイヤの一方の下端部付近の底面図である。
【図７】本発明の別実施形態に係るブラインド用ガイド装置のガイドワイヤの一方の下端部付近の斜視図であり、（ａ）は組付前の状態を、（ｂ）は組付後の状態を、それぞれ示す。
【図８】図７のガイドワイヤの一方の下端部付近の断面図である。
【図９】図７のガイドワイヤの一方の下端部を取付ける手順を表す下端部付近の底面図である。
【発明を実施するための形態】
【００１３】
以下、図面に基づいて本発明の実施形態を説明する。      
図１に示すブラインドは、複層ガラスに内蔵されるブラインドとなっており、複層ガラス１０は、方形枠状に上下左右のスペーサ１４を連結し、このスペーサ１４の前後面を２枚のガラス板１２で挟んで構成され、ガラス板１２で挟まれた内部空間１６を画成しており、この内部空間１６内に、フレーム１８に少なくとも一部が囲まれたブラインド２０が配設される。フレーム１８は、フレーム要素である上枠１８ａ、下枠１８ｂ及び一対の縦枠１８ｃからなる。
【００１４】
このブラインド２０は、上枠１８ａ内で水平方向に延び回転可能に支持された回転軸２４と、回転軸２４上に回転軸２４と一体に回転可能に設けられた複数の回転ドラム２５と、回転ドラム２５に上端が連結されて回転ドラム２５の回転に従動して傾動するラダーテープ２６と、ラダーテープ２６に整列状態に支持される多数のスラット２８と、スラット２８列の下方に配設され、ラダーテープ２６の下端が連結されるとともにフレーム１８に対して回転可能に且つ上下方向の移動は規制されて支持されるボトムレール２９と、一方の縦枠１８ｃの内外に設けられ複層ガラス外部から回転軸２４の回転を操作可能な操作装置３０と、各スラット２８の両側端部に形成される挿通孔２８ａを挿通し、スラット２８の転倒及び横方向の移動を規制するガイドワイヤ３２と、から構成される。
【００１５】
操作装置３０は、一方の縦枠１８ｃ上のガラス板１２面上に配設される操作部３６を備えており、操作部３６を上下方向に操作して、磁石の吸着力を利用して一方の縦枠１８ｃ内に配設されている駆動軸を回転駆動させて駆動軸の回転を回転軸２４に伝達するようになっている。これにより、ラダーテープ２６が傾動してスラット２８列及びボトムレール２９が回転する。
【００１６】
フレーム１８の上枠１８ａ、下枠１８ｂ及び両縦枠１８ｃは、直交して隣り合う枠同士を金属製のＬ字状の支持金具４４を介してネジ５０で連結することにより、互いに連結され、四方枠を構成する。各枠１８ａ、１８ｂ、１８ｃの両端部にはネジ５０のネジ軸５０ａが挿通する挿通孔１８ｄが２か所ずつ形成されている（図４参照）。
【００１７】
Ｌ字状の支持金具４４は、鉛直方向に延びる鉛直片４４ａと、水平方向に延びる水平片４４ｂとを有し、図４に示すように、鉛直片４４ａ及び水平片４４ｂにはそれぞれ、各枠１８ａ、１８ｂ、１８ｃの挿通孔１８ｄと対応する位置にネジ５０のネジ軸５０ａが螺合するネジ孔４４ｃが形成されるとともに、支持金具４４の水平片４４ｂにはガイドワイヤ３２が挿通する挿通孔４４ｄが形成されている。
【００１８】
ボトムレール２９の両端部には、図３及び図４に示すように、端部キャップ４０が被せられており、端部キャップ４０はガイドワイヤ３２が挿通する上下方向の孔を画成する挿通部４０ａと、挿通部４０ａからさらに側方に突出する円筒形状の連結部４０ｂを有する。
【００１９】
連結部４０ｂはホルダ４２に回転可能に連結されており、ホルダ４２は、ガイドワイヤ３２が挿通する挿通孔４２ａと、開口部４２ｂとを有し、開口部４２ｂには、下枠１８ｂと縦枠１８ｃとを連結する支持金具４４の水平片４４ｂが遊嵌状態で貫通している。支持金具４４の鉛直片４４ａが縦枠１８ｃの、水平片４４ｂが下枠１８ｂのそれぞれの内板に当接し、縦枠１８ｃ及び下枠１８ｂの外部からネジ５０で締結されることにより、ボトムレール２９は、フレーム１８に対して上下方向の移動が制限されて連結される。
【００２０】
ガイドワイヤ３２は、図２に示すように、その上端３２ａが上枠１８ａの側端部に取付けられる連結ブラケット６０を挿通して上枠１８ａ内に進入しており、連結ブラケット６０との間にばね６２を介して端部に抜け止め具６４が設けられることにより、連結ブラケット６０から抜け止めされている。
【００２１】
ガイドワイヤ３２の下端３２ｂは、図３及び図４に示すように、各スラット２８の端部に形成された挿通孔２８ａ、ボトムレール２９の端部キャップ４０の挿通部４０ａ、ホルダ４２の挿通孔４２ａ、支持金具４４の挿通孔４４ｄの順に通って、支持金具４４の水平片４４ｂに沿って配回され、ホルダ４２の開口部４２ｂから下枠１８ｂ方向に導出される。
【００２２】
下枠１８ｂ方向に導出されたガイドワイヤ３２の下端３２ｂの下枠１８ｂへの固定は、上述の支持金具４４の水平片４４ｂを下枠１８ｂに連結する作業時に、この作業と同時に行われる。すなわち、下枠１８ｂに形成されている複数の挿通孔１８ｄのいずれか、例えば、ホルダ４２寄りの挿通孔１８ｄにネジ５０を挿入する前に、ガイドワイヤ３２の下端３２ｂをネジ５０のネジ軸５０ａにネジ締め付け方向と同じ方向となるように巻付け（図５参照）、ネジ軸５０ａにガイドワイヤ３２の下端３２ｂが巻付いた状態でネジ５０を挿通孔１８ｄに挿入し、支持金具４４のネジ孔４４ｃにねじ込む。ネジ５０を締めるときのネジ軸５０ａの回転により、ガイドワイヤ３２がネジ軸５０ａに巻付かれていき、上端３２ａがばね６２を介して抜け止めされているため、ガイドワイヤ３２はフレーム１８外方向へと引っ張られる。これによって、ガイドワイヤ３２にテンションがかかり、ネジ５０の締結完了時にはガイドワイヤ３２が弛みなく固定される。
【００２３】
このように、ネジ５０による下枠１８ｂと支持金具４４との連結は、下枠１８ｂの外部から行われるため、ガイドワイヤ３２を弛みなく取付ける作業も下枠１８ｂの外部から行うことができ、狭い枠内で作業を行う必要が少ないため、組付作業が容易である。また、下枠１８ｂと縦枠１８ｃの組立作業に伴ってガイドワイヤ３２の組付も行うことができるため、作業の効率がよい。さらに、フレーム１８の組立部品であるネジ５０や取付金具４４をガイドワイヤ３２の固定にも共用することができるため、コスト削減にもなる。
【００２４】
こうして組付けられたガイドワイヤ３２は、遮光状態の調整機能に致命的な欠陥を招くおそれのあるスラット２８の転倒（裏返し）を確実に防止し、スラット２８の横方向への抜け落ちを確実に防止することができる。よって、建物窓部への組み込み前の最終的な組立作業における作業の負担も軽減することができる。
【００２５】
図７〜図９は、ガイドワイヤ３２の下端部の別の固定を行った第２実施形態を表している。この例では、ガイドワイヤ３２の下端３２ｂは、ホルダ４２の開口部４２ｂから下枠１８ｂ方向に導出された後、支持金具４４の水平片４４ｂの下側と下枠１８ｂの上側との間を通って、下枠１８ｂの１つの取付孔１８ｄを挿通している（図９（ａ））。このときガイドワイヤ３２の下端部３２ｂが取付孔１８ｄを挿通後に、ガイドワイヤ３２挿通方向からネジ締め付け方向に沿って略水平に９０°転回されるように引っ張っておくと良い。
【００２６】
そして、支持金具４４の水平片４４ｂを下枠１８ｂに連結する作業のために取付孔１８ｄにネジ５０を挿入して支持金具４４のネジ孔４４ｃにねじ込むと（図９（ｂ））、ネジ５０の回転と共に、この取付孔１８ｄを挿通しているガイドワイヤ３２が取付孔１８ｄからフレーム１８外方向へと引っ張られる。これによって、ガイドワイヤ３２にテンションがかかり、ネジ５０の締結完了時にはガイドワイヤ３２が弛みなく取付けられる。
【００２７】
さらに、別の取付孔１８ｄを挿通して支持金具４４のネジ孔４４ｃにねじ込まれる別のネジ５０のネジ頭と下枠１８ｂとの間に、ガイドワイヤ３２の下端３２ｂを挟みネジ５０で締め付けることで、より確実にガイドワイヤ３２の固定を図ることができる（図９（ｄ））。よって、いずれか一方のネジ５０が緩んだとしても、他方のネジ５０の締め付けが確保されている限り、ガイドワイヤ３２の弛みの発生を防ぐことができ、その固定を維持することができる。
【００２８】
また、ガイドワイヤ３２のテンションを調整する場合には、ネジ５０を緩める方向に回転させると（図９（ｂ））、ネジ５０の回転と共に、この取付孔１８ｄを挿通しているガイドワイヤ３２がフレーム１８内方向へと戻されるので、テンションを弱めることができる。
【００２９】
この第２実施形態においても、第１実施形態と同様の作用効果を奏することができるとともに、ガイドワイヤ３２をネジ５０に巻付ける必要はないので、作業がより一層容易になっている。また、ガイドワイヤ３２は、ネジ孔４４ｃだけでなく、支持金具４４と下枠１８ｂとの間に挟まれているので、その固定をより一層確実に行うことができる。
【００３０】
以上の各例では、ガイドワイヤ３２がスラット２８の両側端部をそれぞれ挿通するようにしていたが、これに限るものではなく、ガイドワイヤ３２は、スラット２８の一側端部のみを挿通するようにしてもよい。
【符号の説明】
【００３１】
２０  ブラインド
１８  フレーム
１８ｂ  下枠（フレーム要素）
１８ｃ  縦枠（フレーム）
１８ｄ  挿通孔
２６  ラダーテープ
２８  スラット
２８ａ  挿通孔
３２  ガイドワイヤ
３２ａ  上端（一端）
３２ｂ  下端（他端）
５０  ネジ
６２  ばね
【図１】
2014037697.tif 000003
【図２】
2014037697.tif 000004
【図３】
2014037697.tif 000005
【図４】
2014037697.tif 000006
【図５】
2014037697.tif 000007
【図６】
2014037697.tif 000008
【図７】
2014037697.tif 000009
【図８】
2014037697.tif 000010
【図９】
2014037697.tif 000011